(57)【特許請求の範囲】
【請求項１】
上下方向に移動可能な懸架部材をワイヤーで吊持するように支え、巻取装置の駆動で前記懸架部材を上下方向に移動させるようにした懸架装置において、
前記ワイヤーの途中にチェーンを設け、前記チェーンの途中に方向変換用スプロケットを設けて掛け渡し、前記ワイヤーの先端部を前記巻取装置に連結し、巻取装置の駆動でワイヤーを巻き取り及び巻き戻しをすることにより前記ワイヤーを往復移動させて懸架部材を上下方向に位置変更させるようにしたことを特徴とする懸架装置。
【請求項２】
チェーンの可動範囲内に、チェーンの張力を調整する張力調整手段を設けた請求項１に記載の懸架装置。
【請求項３】
前記ワイヤー若しくはチェーンに、懸架部材の上下位置を調節する位置制御手段を設けた請求項１に記載の懸架装置。
【発明の詳細な説明】
【０００１】
【発明の属する技術分野】
本発明は、鶏舎、豚舎、牛舎などの畜舎、または工場や店舗など横長な建築物の側壁に設けた窓のカーテンや板状の開閉板、排気や換気用の窓の障子、若しくは鶏舎の内部に設けてある重い給餌器や給水器等のように、主としてワイヤーで吊り下げて支持する懸架部材を吊持する懸架装置に関するものである。
【０００２】
【従来の技術】
例えば、建築物の屋外側に設けて側壁の窓（図示せず）を開閉する従来の懸架装置１は、図５で示すように、カーテンや養鶏用の給餌器、給水器である懸架部材２が横長で重量があるので、適宜の間隔で上端部に補助ロープ３を止着し、各補助ロープ３を一括してワイヤー４に連結し、前記ワイヤー４の途中を方向変換用プーリー５に掛け渡して下方に方向変換させ、下端部をモーターやウインチ等からなる巻取装置６に接続した構成である。
【０００３】
そして、前記巻取装置６を駆動してワイヤー４を巻き取ると、下端を止めてある懸架部材２は引き上げられて窓が閉止し、巻取装置６の逆方向の駆動によりワイヤー４を巻き戻すと、前記懸架部材２が自重で下降して窓が開放する。このため、窓を１日に数回開閉操作すると、開閉作動毎にワイヤー４が往復移動することになる。
【０００４】
【発明が解決しようとする課題】
従来の前記懸架装置１では、懸架部材２がカーテンであって横方向に長尺であれば重くなり、ワイヤー４に全荷重が作用して懸架重量がきわめて大きくなる。したがって、ワイヤー４が方向変換用プーリー５の位置において強く圧接し、また小径な円弧状移動をするので擦れることになり、比較的短期間で金属疲労が発生して破断することがある。また、方向変換用プーリー５には大きな荷重が作用するので、強靱な軸で回転自在に支える必要があるばかりでなく、歪み防止用の手段を設けないとワイヤー４が方向変換用プーリー５から外れ、懸架装置としての機能が失われることがある。
したがって本発明は、ワイヤーにチェーンを接続することにより、懸架部材の大きな荷重が作用しても、破断したり方向変換用プーリーから外れなくて、確実に懸架部材を上下動可能に移動させるようにしたことを目的とする。
【０００５】
【課題を解決するための手段】
前記目的を達成するため、本発明は、上下方向に移動可能な懸架部材をワイヤーで吊持するように支え、巻取装置の駆動で前記懸架部材を上下方向に移動させるようにした懸架装置において、前記ワイヤーの途中にチェーンを設け、前記チェーンの途中に方向変換用スプロケットを設けて掛け渡し、前記ワイヤーの先端部を前記巻取装置に連結し、巻取装置の駆動でワイヤーを巻き取り及び巻き戻しをすることにより前記ワイヤーを往復移動させて懸架部材を上下方向に位置変更させるようにしたことを特徴とする。
【０００６】
【発明の実施の形態】
以下に本発明を図面に示す実施の態様に基づいて説明する。
図１は本発明の第１実施例の概略正面図、図２は本発明の第２実施例の要部の概略正面図、図３は第２実施例の位置制御手段の横断面図、図４は懸架部材が養鶏用給餌器の場合の概略正面図である。
【０００７】
本発明の懸架装置１１は、前記従来の懸架装置とほぼ同様の構成で、横長な懸架部材１２の上端部に適宜の間隔で補助ロープ１３を止着し、各補助ロープ１３を左右方向に変換するとともに一括して左右方向のワイヤー１４の端部に連結し、前記ワイヤー１４の端部にチェーン１５を接続し、前記チェーン１５の途中を方向変換具１６に掛け渡して下方に方向変換させ、下端部をモーターやウインチ等からなる巻取装置１７に連結した構成である。
【０００８】
図１に示す本発明の第１実施例の懸架装置１１は、懸架部材１２が建築物の窓ａを開閉するカーテンであって、ワイヤー１４の端部に接続したチェーン１５の先端に巻取用ワイヤー１４’をさらに接続し、前記巻取用ワイヤー１４’を巻取装置１７に連結してある。したがって、チェーン１５は実質的にワイヤー１４、１４’の途中に接続したことになる。
【０００９】
そして、本発明の第１実施例の懸架装置１１によれば、方向変換具１６としてスプロケットを使用してチェーン１５に係合してあり、また前記ワイヤー１４とチェーン１５との接続部と、方向変換具１６との間に、張力調整手段１８を設けてある。前記張力調整手段１８としては、チェーン１５をスプリングなど（図示せず）で上側から押圧するテンションスプロケット１８’によって構成され、前記テンションスプロケット１８’の押圧力により常にチェーン１５の全長が緊張している。
【００１０】
したがって、前記巻取装置１７が一方向に回転駆動すると、そのドラム１７’がワイヤー１４’を巻き取るのでチェーン１５が巻取装置１７に近づくように走行し、ワイヤー１４及び補助ロープ１３によって懸架部材１２が上昇するので窓を閉止することになる。そして、前記巻取装置１７が他の方向に回転駆動すると、ワイヤー１４’が巻き戻されてチェーン１５が巻取装置１７から離れる方向に走行するので懸架部材１２が自重で下降して窓ａが開放する。
【００１１】
この場合、方向変換具１６がスプロケットであってチェーン１５に充分に係合しているので、懸架部材１２が重かったり、頻繁にチェーン１５が移動しても確実に走行することができ、摩耗したり金属疲労により破断することがない。
なお、図１に示す巻取装置１７では、ドラム１７’の反対方向に軸１９を設けてあり、この軸１９は、懸架部材であるカーテンの下端に設けた巻取軸に連結されて同調して回転し、前記カーテンを巻き取ったり巻き戻すことができる。したがって、前記軸１９は、回転駆動により同調する他の巻き取りの用途に利用することができる。
【００１２】
図２に示す本発明の第２実施例の懸架装置１１は、図１に示したワイヤー１４、またはチェーン１５、に懸架部材の上下位置を調節する位置制御手段２６を連結した構成を基本とするものである。図２においては、チェーン１５をスプロケットである方向変換具１６に掛け渡して下方の巻取装置１７の駆動用スプロケット２１に掛け渡し、また前記方向変換具１６に隣り合うように設けた折り返し用スプロケット２４の上半部分に掛け渡して吊り下げ、下端にウエイト２０を設けた構成である。
【００１３】
前記位置制御手段２６は、縦長なフレーム２７の表面に縦長孔２８を開設するとともに、内部に前記縦長孔２８に一致するガイド片２９を左右に並設し、両ガイド片２９間にスイッチ機構３０を上下動可能に設け、前記スイッチ機構３０の作動レバー３１を前記縦長孔２８から外面に延在させ、フレーム２７の表面に縦長孔２８に沿って設けた縦方向のステー３２の前面に前記作動レバー３１を位置させた構成である。
【００１４】
前記ステー３２の上下には、上下位置を自由に変更できるように当接子３３を設けて前記作動レバー３１が接触するように設定し、ワイヤー１４またはチェーン１５に一端を接続した屈曲可能な連結材３４の他端をスイッチ機構３０の上面に止着してある。
【００１５】
前記スイッチ機構３０は巻取装置１７に電気的に接続してあるので、巻取装置１７の回転駆動でチェーン１５が懸架部材の方向に走行すると、懸架部材が下降して窓が開放するとともに連結材３４が引っ張られてスイッチ機構３０が上昇し、作動レバー３１が上方の当接子３３に接触するとスイッチ機構３０がオフになって巻取装置１７の駆動を止める。したがって、懸架部材の下降位置を規制することができる。
【００１６】
また、巻取装置１７を回転駆動させてチェーン１５が懸架部材を引き上げる方向に走行すると、懸架部材が上昇して窓が閉止するとともに、連結材３４が緩められてスイッチ機構３０が下降し、作動レバー３１が下方の当接子３３に接触するとスイッチ機構３０がオフになって巻取装置１７の駆動を止める。したがって、懸架部材の上昇位置を規制することができる。
【００１７】
上記のとおり、前記位置制御手段２６は、懸架部材の上限位置及び下限位置を設定するものであり、各当接子３３の位置が無段階に変更可能であるから、懸架部材の上限位置、下限位置を無段階に変更設定することができる。
【００１８】
なお、当接子３３は、ステー３２に板バネで挟着するクリップ状のものを使用したり、図３で示すようにコ字枠状で正面に突子を有し、ネジでステー３２に締め付けて止着する構成のものを使用すれば手動で位置を変更することができる。しかし、ステー３２をレールに沿って電動により低速で走行する構成のものであれば、自動で位置を変更することができる。
【００１９】
図４に示す本発明の他の実施例は、懸架部材１２として、鶏舎の床面に設置されている給餌装置１２ｂとした場合である。
前記給餌装置１２ｂは、円筒材で内部にスクリューを有するスクリューコンベア状の給餌樋１０１の一端に餌供給用ホッパー１０２を設け、前記給餌樋１０１の途中に複数の給餌器１０３を設けるとともに、前記給餌樋１０１の他端に前記スクリューを回転駆動させる電動機１０４を設けた構成で、鶏舎の床面に上下移動可能に設けてある。
【００２０】
したがって、ホッパー１０２に鶏用の餌を供給して電動機１０４によりスクリューを回転すると、餌が給餌樋１０１を流れて各給餌器１０３に供給されるので、ケージの内部に飼育している鶏に給餌することができる。
【００２１】
そして、鶏は成育するにつれて高くなるので、床面で飼育する場合には成育による高さの変化に応じて給餌装置１２ｂを上昇させなければならない。
【００２２】
そのために、前記給餌樋１０１の途中に補助ロープ１３を適宜の間隔で止着するとともに、重量のあるホッパー１０２、電動機１０４等にも補助ロープ１３を止着し、上下方向の各補助ロープ１３を左右方向に変換するとともに一括して左右方向のワイヤー１４の端部に連結し、前記ワイヤー１４の端部にチェーン１５を接続し、前記チェーン１５の途中を方向変換具１６に掛け渡して下方に方向変換させ、下端部にワイヤーを設けてモーターやウインチ等からなる巻取装置１７に連結した構成である。
【００２３】
したがって、巻取装置１７を回転駆動してチェーン１５を引く方向に走行させると各補助ロープ１３が引き上げられて給餌装置１２ｂが上昇し、チェーン１５を緩める方向に走行させると給餌装置１２ｂが下降するので、給餌装置１２ｂを所望の位置に設定することができる。
【００２４】
以上本発明を図面の実施例に基づいて説明したが、本発明は前記実施例に限定されないで、特許請求の範囲に記載の構成を変更しない限り、どのようにでも実施することができる。例えば、チェーンの張力を調整するために、張力調整手段はチェーンの可動範囲内であればどの位置に設けてもよいし、方向変換用スプロケットと巻取装置との位置関係も特に限定されるものではない。また、方向変換具１６を、チェーンに係合するスプロケットとして説明したが、外周縁にチェーンを嵌め付ける凹溝を設けたローラーや、Ｕ字状の溝材を弧状に折曲してなる導引装置を使用することができる。
【００２５】
【発明の効果】
以上要するに、本発明は、上下方向に移動可能な懸架部材をワイヤーで吊持するように支え、巻取装置の駆動で前記懸架部材を上下方向に移動させるようにした懸架装置において、前記ワイヤーの途中にチェーンを設け、前記チェーンの途中に方向変換用スプロケットを設けて掛け渡し、前記ワイヤーの先端部を前記巻取装置に連結し、巻取装置の駆動でワイヤーを巻き取り及び巻き戻しをすることにより前記ワイヤーを往復移動させて懸架部材を上下方向に位置変更させるようにしたので、方向変換位置においてチェーンがスプロケットに強く係合し、外れることがないばかりでなくワイヤーのように金属疲労によって破断することもない。したがって、懸架重量が大きくて、頻繁に移動する懸架装置においては、著しく有効であって長期間の使用に耐えることができる。
【００２６】
また、チェーンの端部と方向変換用スプロケットとの間に、チェーンの張力を調整する張力調整手段を設けると、さらにチェーンを確実に緊張することができるのでスプロケットから外れないし、ワイヤー若しくはチェーンに、懸架部材の上下位置を設定する制御手段を設けると、懸架部材の上下位置を調整することができるので、どのような高さの窓にでも利用することができ、実用的価値の高いものとなる。
【図面の簡単な説明】
【図１】  本発明の第１実施例の概略正面図である。
【図２】  本発明の第２実施例の要部の概略正面図である。
【図３】  第２実施例の位置制御手段の横断面図である。
【図４】  懸架部材が養鶏用給餌器である場合の概略正面図である。
【図５】  従来の懸架装置の概略斜視図である。
【符号の説明】
１１    懸架装置
１２    懸架部材
１３    補助ロープ
１４    ワイヤー
１４’  巻取用ワイヤー
１５    チェーン
１６    方向変換具
１７    巻取装置
１７’  ドラム
１８    張力調整手段
１８’  テンションスプロケット
１９    軸
【図１】
0003793711.tif 000002
【図２】
0003793711.tif 000003
【図３】
0003793711.tif 000004
【図４】
0003793711.tif 000005
【図５】
0003793711.tif 000006